(57)【要約】【課題】梱包作業の容易化を図る。【解決手段】２枚の遊技盤１が互いに向かい合わされた格好で、当該互いに向かい合わされた２枚の遊技盤１の下部が段ボール箱２５における底片２６；２７；２８；２９における一対の底片２６；２７の上下に重ね合わされた部分と対向する格好で、互いに向かい合わされた２枚の遊技盤１が段ボール箱２５の内部に収納され、互いに向かい合わされた２枚の遊技盤１の下部が一対の底片２６；２７における上下に重ね合わされた部分に搭載される一方、支持片３５；３６の設けられた一対の蓋片３１；３２が閉じられる場合、当該一対の蓋片３１；３２から内側に折り曲げられた支持片３５；３６が互いに向かい合わされた２枚の遊技盤１の間に形成された隙間４３に挿入された後、別の一対の蓋片３３；３４が閉じられ封緘される。【選択図】図１
2006044794.tif 000002
【特許請求の範囲】
【請求項１】
遊技盤本体に表部品と裏部品とを備えた２枚の遊技盤が段ボール箱で梱包される遊技盤梱包装置において、段ボール箱の蓋部を構成する４つの蓋片における相対峙する一対の蓋片には支持片が個別に設けられ、段ボール箱の底部を構成する４つの底片における上側に位置する相対峙する一対の底片が互いに上下で重ね合わされ、段ボール箱の底部を構成する４つの底片における下側に位置する別の相対峙する一対の底片が同一面内に位置して対向し、この別の一対の底片が互いに開かないよう封緘され、段ボール箱の蓋部が外側に開けられた状態において、２枚の遊技盤が互いに向かい合わされた格好で、当該互いに向かい合わされた２枚の遊技盤の下部が段ボール箱の一対の底片における上下に重ね合わされた部分と対向する格好で、互いに向かい合わされた２枚の遊技盤が段ボール箱の内部に収納され、互いに向かい合わされた２枚の遊技盤の下部が一対の底片における上下に重ね合わされた部分に搭載される一方、支持片の設けられた一対の蓋片が閉じられる場合、当該一対の蓋片から内側に折り曲げられた支持片が互いに向かい合わされた２枚の遊技盤の間に形成された隙間に挿入された後、別の一対の蓋片が閉じられ封緘される形態に形成されたことを特徴とする遊技盤梱包装置。
【請求項２】
２枚の遊技盤の表部品が互いに向かい合うように、２枚の遊技盤が互いに向かい合わされた格好で段ボール箱の内部に入れられたことを特徴とする請求項１記載の遊技盤梱包装置。
【請求項３】
段ボール箱が、糊代、２つの側片、２つの蓋片、１つの支持片、２つの底片からなる大きさと形状との同一な２つの箱要素により構成されたことを特徴とする請求項１記載の遊技盤梱包装置。
【請求項４】
支持片を有する相対峙する一対の蓋片の少なくとも一方には開封補助部が設けられたことを特徴とする請求項１記載の遊技盤梱包装置。
【請求項５】
パチンコ店で使用済となった遊技盤本体に表部品と裏部品とを備えた２枚の遊技盤が請求項１に記載された遊技盤梱包装置を使用して回収される使用済遊技盤回収方法。
【発明の詳細な説明】
【技術分野】
【０００１】
本発明は、遊技店から使用済として排出されるパチンコ機の遊技盤を回収する梱包作業の容易な遊技盤梱包装置および使用済遊技盤回収方法に関する。
【背景技術】
【０００２】
従来、パチンコ店から使用済として排出された使用済遊技盤を運搬する場合、使用済遊技盤を形の不揃いな空の段ボール箱に投入し、当該段ボール箱をトラックの荷台に搭載したり、使用済遊技盤をそのままトラックの荷台に搭載したりしていた。しかしながら、使用済遊技盤の投入された形の不揃いな段ボール箱をトラックの荷台に搭載したり、使用済遊技盤をそのままトラックの荷台に搭載したりしていたので、１台のトラックで運搬できる数量が少なく、しかも、トラックの荷台から使用済遊技盤が落下しないように荷造りする作業に多大な労力と時間とが必要であったという問題点があった。また、本願出願人は、製品としての遊技盤を支持片で鉢巻状に支持し、それを段ボール箱に収納する構造の遊技盤梱包装置を提案している。しかしながら、本願出願人が提案した上記遊技盤梱包装置にあっては、遊技盤を支持片で鉢巻状に支持するために、使用済遊技盤の運搬に対しては梱包作業が面倒である。
【特許文献１】特開２００３−２４６３１７号公報
【発明の開示】
【発明が解決しようとする課題】
【０００３】
発明が解決しようとする問題点は、製品としての遊技盤の運搬に対する梱包作業が面倒であるとともに、使用済遊技盤の運搬に対する梱包作業が面倒であるという点である。
【課題を解決するための手段】
【０００４】
本発明に係る遊技盤梱包装置は、遊技盤本体に表部品と裏部品とを備えた２枚の遊技盤が段ボール箱で梱包される遊技盤梱包装置において、段ボール箱の蓋部を構成する４つの蓋片における相対峙する一対の蓋片には支持片が個別に設けられ、段ボール箱の底部を構成する４つの底片における上側に位置する相対峙する一対の底片が互いに上下で重ね合わされ、段ボール箱の底部を構成する４つの底片における下側に位置する別の相対峙する一対の底片が同一面内に位置して対向し、この別の一対の底片が互いに開かないよう封緘され、段ボール箱の蓋部が外側に開けられた状態において、２枚の遊技盤が互いに向かい合わされた格好で、当該互いに向かい合わされた２枚の遊技盤の下部が段ボール箱の一対の底片における上下に重ね合わされた部分と対向する格好で、互いに向かい合わされた２枚の遊技盤が段ボール箱の内部に収納され、互いに向かい合わされた２枚の遊技盤の下部が一対の底片における上下に重ね合わされた部分に搭載される一方、支持片の設けられた一対の蓋片が閉じられる場合、当該一対の蓋片から内側に折り曲げられた支持片が互いに向かい合わされた２枚の遊技盤の間に形成された隙間に挿入された後、別の一対の蓋片が閉じられ封緘される形態に形成されたことを最も主要な特徴とする。本発明に係る遊技盤梱包装置は、２枚の遊技盤の表部品が互いに向かい合うように、２枚の遊技盤が互いに向かい合わされた格好で段ボール箱の内部に入れられたり、または、段ボール箱が、糊代、２つの側片、２つの蓋片、１つの支持片、２つの底片からなる大きさと形状との同一な２つの箱要素により構成されたり、または、支持片を有する相対峙する一対の蓋片の少なくとも一方には開封補助部が設けられたりすることも特徴とする。本発明に係る使用済遊技盤回収方法は、パチンコ店で使用済となった遊技盤本体に表部品と裏部品とを備えた２枚の遊技盤が請求項１に記載された遊技盤梱包装置を使用して回収されることを最も主要な特徴とする。
【発明の効果】
【０００５】
本発明に係る遊技盤梱包装置は、２枚の遊技盤を段ボール箱の内部に格納された定形の格好で運搬することができるという利点、２枚の遊技盤の間の隙間に挿入された支持片が２枚の遊技盤を互いに離れるように支持し、２枚の遊技盤が段ボール箱における底部と蓋部とで上下方向より押圧された格好で支持され、２枚の遊技盤が一対の側片に接触し、２枚の遊技盤が段ボール箱の内部でがたつかないという利点、２枚の遊技盤の下部、段ボール箱における上側に位置する一対の底片における互いに上下に重ね合わされた部分と下側に位置する一対の底片とからなる段ボール紙の３枚重ねとなった部分に搭載され、２枚の遊技盤を支持する段ボール箱の支持力が高くなるという利点がある。本発明に係る遊技盤梱包装置において、２枚の遊技盤の表部品が互いに向かい合うように、２枚の遊技盤が互いに向かい合わされた格好で段ボール箱の内部に入れられれば、遊技盤の下部が段ボール箱の内部において底部に接触され、遊技盤が段ボール箱の内部に収納されることによって、２枚の遊技盤の裏部品が一対の側片に個別に接触した背もたれな状態となり、隙間が形成されやすく、支持片が隙間に入りやすいという利点がある。段ボール箱が、糊代、２つの側片、２つの蓋片、１つの支持片、２つの底片からなる大きさと形状との同一な２つの箱要素により構成されれば、段ボール紙材料からの材料取りに無駄を省くことができるという利点がある。支持片を有する相対峙する一対の蓋片の少なくとも一方には開封補助部が設けられれば、支持片の有る相対峙する一対の蓋片を開封しやすくなるという利点がある。本発明に係る使用済遊技盤回収方法は、パチンコ店で使用済となった遊技盤本体に表部品と裏部品とを備えた２枚の遊技盤が上記遊技盤梱包装置を使用して回収されることによって、段ボール箱を再使用することができるという利点がある。
【発明を実施するための最良の形態】
【０００６】
図１乃至図４は発明を実施するための最良の形態である。図１のａ図は、２枚の遊技盤１を１個の段ボール箱２５で梱包する遊技盤梱包装置２の分解した外観を示す。図１のｂ図は、２枚の遊技盤１を１個の段ボール箱２５で梱包する遊技盤梱包装置２を縦方向に切断した断面を示す。図２は、遊技盤梱包装置２の寸法を示す。図３は、段ボール箱２５を構成する２つの箱要素４７；４８を展開して示す。図４は、筒状に形成された段ボール箱２５の外観を示す。
【０００７】
図２を参照し、梱包対象物品である２枚の遊技盤１の構造と、２枚の遊技盤１を梱包する遊技盤梱包装置２の構造とについて説明する。２枚の遊技盤１は、遊技基板３、遊技基板３における前面である意匠盤面に取り付けられた表部品４、遊技基板３の裏面に取り付けられた裏部品５を備える。表部品４は、ガイドレール６、遊技釘７、風車８、サイドランプ９、入賞部品１０、センター飾り１１、アウト口１２、盤面飾り１３、証紙台１４などである。裏部品５は、画像表示器１５、制御装置１６、セット板１７、カバー１８などである。ガイドレール６が遊技基板３の前面を構成する意匠盤面に取り付けられることによって、ガイドレール６で囲まれた内側には発射通路１９と遊技領域２０とが区画形成される。発射通路１９は、遊技盤１が取り付けられる図外の遊技機枠の発射機構から発射されたパチンコ球と呼ばれる球を遊技基板３の下部から遊技領域２０の上部に誘導する通路である。遊技領域２０は、発射通路１９から発射された球を流下させる領域である。遊技領域２０には、遊技釘７、風車８、サイドランプ９、入賞部品１０、センター飾り１１、アウト口１２が取り付けられる。よって、発射通路１９から遊技領域２０に発射された球は、遊技領域２０を下方に流下する過程において、遊技釘７、風車８、サイドランプ９、入賞部品１０、センター飾り１１に衝突して流れる方向が変わり、入賞部品１０に入賞して遊技基板３の裏面に排出される。入賞部品１０に入賞しないで遊技領域２０の下部に到達した球は、アウト口１２から遊技基板３の裏面に排出される。
【０００８】
センター飾り１１は、センター飾り１１の中央に設けられた光透過性の有るパネル２１が遊技基板３に形成された図外の貫通孔に前側から裏側に挿入された格好で、遊技基板３に取り付けられる。盤面飾り１３は、ガイドレール６の外側に位置する遊技基板３の意匠盤面に取り付けられる。盤面飾り１３の右下隅部には、証紙台１４が設けられる。証紙台１４の表面には、検査に合格したことを証明する証紙が、遊技盤１の前側から見えるように貼り付けられる。画像表示器１５は、電気的に表示形態を変えられる画像を表示画面に表示する液晶表示器により構成され、人が画像表示器１５の画面に表示された図柄などの画像を遊技盤１の前側からセンター飾り１１のパネル２１を通して見えるように、センター飾り１１のパネル２１の裏側に配置され、遊技基板３の裏面またはセンター飾り１１に取り付けられる。制御装置１６は、遊技基板３の裏面またはカバー１８の裏面に取り付けられる。セット板１７は、遊技基板３の裏面に取り付けられ、入賞部品１０やアウト口１２から遊技基板３の裏面に排出された球を下方に誘導して排出する。カバー１８は、遊技基板３の裏面に取り付けられ、入賞部品１０の遊技基板３から裏側に突出した部分やセット板１７を覆う。遊技盤１の上下方向の外形寸法である高さをｈとし、遊技盤１の左右方向の外形寸法である横幅をｄとし、遊技盤１の前後方向の外形寸法である厚さをａとすると、例えば、ｈ＝４４５ｍｍ、ｄ＝４３０ｍｍ、ａ＝２００ｍｍになっている。
【０００９】
遊技盤梱包装置２は段ボール箱２５を備える。段ボール箱２５の底部が閉じられることによって、底部を構成する４つの底片２６；２７；２８；２９における上側に位置する相対峙する一対の底片２６；２７が互いに上下で重ね合わされ、底部を構成する４つの底片２６乃至２９における下側に位置する別の相対峙する一対の底片２８；２９が同一面内に位置して対向し、この別の一対の底片２８；２９が互いに開かないよう紙製または布製の粘着テープのような封緘具３０で結合される。段ボール箱２５の上下方向の内法寸法である高さをＨとし、段ボール箱２５の左右方向の内法寸法である横幅をＤとし、段ボール箱２５の前後方向の内法寸法である厚さをＡとすると、例えば、Ｈ＝４７０ｍｍ、Ｄ＝４６０ｍｍ、Ａ＝４１０ｍｍになっている。よって、遊技盤１における高さｈ、横幅ｄ、厚さａの寸法と、段ボール箱２５における高さＨ、横幅Ｄ、厚さＡの寸法との関係から、遊技盤１の表部品４または裏部品５が段ボール箱２５の封緘された底部と対向する格好で、遊技盤１が段ボール箱２５の内部に収納されることはない。段ボール箱２５の蓋部を構成する４つの蓋片３１；３２；３３；３４における相対峙する一対の蓋片３１；３２には、支持片３５；３６が個別に設けられる。段ボール箱２５の側部を構成する４つの側片３７；３８；３９；４０において、支持片３５；３６の設けられた一対の蓋片３１；３２の連接された相対峙する一対の側片３７；３８には、取手用孔片４１；４２が個別に設けられる。
【００１０】
図１を参照し、２枚の遊技盤１を１個の遊技盤梱包装置２で梱包する場合について説明する。図１のａ図に示すように、２枚の遊技盤１の表部品４が互いに向かい合うように、２枚の遊技盤１が互いに向かい合わされる。そして、段ボール箱２５の蓋部が外側に開けられた状態において、互いに向かい合わされた２枚の遊技盤１の下部が段ボール箱２５の一対の底片２６；２７における上下に重ね合わされた部分と対向する格好で、互いに向かい合わされた２枚の遊技盤１が段ボール箱２５の上方から内部に収納され、互いに向かい合わされた２枚の遊技盤１の下部が一対の底片２６；２７における上下に重ね合わされた部分に搭載される。この場合、２枚の遊技盤１を一緒に段ボール箱２５の中に入れても、遊技盤１を１枚ずつ段ボール箱２５の中に入れてもよい。
【００１１】
その後、図１のｂ図に示すように、支持片３５；３６の設けられた一対の蓋片３１；３２が閉じられた後、別の一対の蓋片３３；３４が閉じられる。この場合、一対の蓋片３１；３２から内側に折り曲げられた支持片３５；３６が、互いに向かい合わされた２枚の遊技盤１における表部品４の間に形成された隙間４３に挿入される。そして、別の一対の蓋片３３；３４が同一面内で前後に対向するように閉じられることによって、支持片３５；３６の設けられた一対の蓋片３１；３２が２枚の遊技盤１における遊技基板３の上面と接触する。次に、支持片３５；３６の設けられていない別の一対の蓋片３３；３４が同一面内で左右に対向するように閉じられることによって、当該別の一対の蓋片３３；３４が上記遊技基板３の上面と接触した一対の蓋片３１；３２の上に重ね合わされる。そして、段ボール箱２５の蓋部が２枚の遊技盤１における遊技基板３を下方に押し付ける格好で、支持片３５；３６の設けられていない別の一対の蓋片３３；３４が紙製または布製の粘着テープのような封緘具４４で互いに結合するように封緘される。
【００１２】
この封緘された遊技盤梱包装置２にあっては、２枚の遊技盤１における表部品４が互いに向かい合わされた格好で、２枚の遊技盤１が１個の段ボール箱２５に収納され、２枚の遊技盤１における表部品４の間の隙間４３に挿入された支持片３５；３６が２枚の遊技盤１における表部品４を互いに離れるように支持し、２枚の遊技盤１における遊技基板３が段ボール箱２５における底部と蓋部とで上下方向より押圧された格好で支持され、２枚の遊技盤１における裏部品５が取手用孔片４１；４２の設けられた一対の側片３７；３８に接触し、２枚の遊技盤１が段ボール箱２５の内部でがたつかないという利点がある。とりわけ、２枚の遊技盤１における遊技基板３の下面が、段ボール箱２５における上側に位置する一対の底片２６；２７における互いに上下に重ね合わされた部分と下側に位置する１つの底片２８；２９とからなる段ボール紙の３枚重ねとなった部分に搭載されているので、２枚の遊技盤１を支持する段ボール箱２５の支持力が高くなるという利点がある。
【００１３】
段ボール箱２５が段ボール紙により形成されているので、遊技盤梱包装置２を金属や合成樹脂で作った場合よりも軽量化することができるという利点がある。２枚の遊技盤１の表部品４が向かい合わされた格好で、段ボール箱２５の底部と蓋部とが封緘されることによって、２枚の遊技盤１が段ボール箱２５の底部と支持片３５；３６と蓋部とで挟まれた格好で段ボール箱２５の内部でがたつくことがないように安定に支持されるという利点がある。遊技盤１の下部が床などに接触した状態で、遊技盤１から手を離すと、遊技盤１は裏部品５の側に倒れる重量配分に構成されているので、遊技盤１の下部が段ボール箱２５の内部において底部に接触され、遊技盤１が段ボール箱２５の内部に収納されることによって、２枚の遊技盤１の裏部品５が一対の側片３７；３８に個別に接触した背もたれな状態となり、隙間４３が形成されやすく、支持片３５；３６が隙間４３に入りやすいという利点がある。
【００１４】
段ボール箱２５における遊技盤１の裏部品５が接触する一対の側片３７；３８に取手用孔片４１；４２が設けられているので、作業者が２枚の遊技盤１の梱包された遊技盤梱包装置２を持ち運ぶ場合、作業者が左手における人差指、中指、薬指、小指それぞれの指先を段ボール箱２５の外側から前側壁の取手用孔片４１；４２を押しながら内側に入れるとともに、右手における人差指、中指、薬指、小指それぞれの指先を段ボール箱２５の外側から取手用孔片４１；４２を押しながら内側に入れると、取手用孔片４１；４２が図１のｂ図に示すように実線示から仮想線示のように内側に折れ曲がり、作業者が上記段ボール箱２５の内側に入った指先を上方に曲げた格好で、作業者が両手で遊技盤梱包装置２を容易に持ち運ぶことができる利点がある。２枚の遊技盤１を１個の段ボール箱２５に収納した遊技盤梱包装置２においては、遊技盤１が１枚ずつ段ボール箱２５の中で支持片３５；３６、側部、底部、蓋部で個別に支持されているので、２枚の遊技盤１を収納した遊技盤梱包装置２がトラックに積み込まれて運ばれる場合に、その運搬中の振動で２枚の遊技盤１における裏部品５どうしが衝突することなく、２枚の遊技盤１に実装されている表部品４や裏部品５における画像表示装置や球検出器などの部品が損傷せず適切に保護されるという利点がある。
【００１５】
図３を参照し、段ボール箱２５を構成する２つの箱要素４７；４８について説明する。２つの箱要素４７；４８は、大きさと形状が同一である。２つの箱要素４７；４８を構成する段ボール紙材料における波心は段ボール箱２５の上下方向に延びる条を形成する。一方の箱要素４７は、糊代４９、２つの側片３７；３９が左側から右側へと横一列に連接され、２つの側片３７；３９から上方に蓋片３１；３３が個別に連接され、蓋片３１から上方に支持片３５が連接され、２つの側片３７；３９から下方に底片２６；２８が連接された形態であって、ロール状に巻かれた長尺な段ボール紙材料から方形状に切断されて材料取りされた後に、一点鎖線で示す折線５０；５１；５２；５３；５４；５５；５６が付けられるとともに、一方の側片３７に取手用孔片４１が形成された形態である。２つの底片２６；２８は互いに切込５７で分離され、２つの蓋片３１；３３は互いに切込５８で分離されている。一方の底片２６の折線５５からの突出寸法Ｌ１は、他方の底片２８の折線５２からの突出寸法Ｌ２よりも大きい。取手用孔片４１は切込５９と折線６０とで囲まれた形態に構成される。切込５９は左右方向に延長された直線から上方（蓋片３１の方向）に向けて内側に湾曲する弧状に延びている。折線６０は切込５９における弧状の相対峙する内側端間において左右方向に直線状に延びている。
【００１６】
他方の箱要素４８は、糊代６３、２つの側片３８；４０が左側から右側へと横一列に連接され、２つの側片３８；４０から上方に蓋片３２；３４が個別に連接され、蓋片３２から上方に支持片３６が連接され、２つの側片３８；４０から下方に底片２７；２９が連接された形態であって、ロール状に巻かれた長尺な段ボール紙材料から方形状に切断されて材料取りされた後に、一点鎖線で示す折線６４；６５；６６；６７；６８；６９；７０が付けられるとともに、一方の側片３８に取手用孔片４２が形成された形態である。２つの底片２７；２９は互いに切込７１で分離され、２つの蓋片３２；３４は互いに切込７２で分離されている。一方の底片２７の折線６９からの突出寸法Ｌ１は、他方の底片２９の折線６６からの突出寸法Ｌ２よりも大きい。取手用孔片４２は切込７３と折線７４とで囲まれた形態に構成される。切込７３は左右方向に延長された直線から上方（蓋片３２の方向）に向けて内側に湾曲する弧状に延びている。折線７４は切込７３における弧状の相対峙する内側端間において左右方向に直線状に延びている。
【００１７】
そして、一方の箱要素４７における糊代４９が他方の箱要素４８における側片３８の内側に重ね合わされて図外の接着剤のような固着具で結合され、他方の箱要素４８における糊代６３が一方の箱要素４７における側片３７の内側に重ね合わされて図外の接着剤のような固着具で結合され、２つの箱要素４７；４８における４つの側片３７乃至４０が互いに折線５０；５３；６４；６７で内側に折り曲げられることによって、４つの側片３７乃至４０からなる側部が四角形の筒状に形成された段ボール箱２５となる。この段ボール箱２５における側部の対角方向で相対峙する折線としての例えば折線５０；６４の部分が互いに外側から内側に押されることで、段ボール箱２５が全体的に扁平となる。よって、段ボール箱２５を多数枚保管する場合、上記扁平となった段ボール箱２５が積層された形態で保管されることで、筒状の段ボール箱２５をそのままの形状で保管する場合に比べ、嵩張らない。また、筒状に形成された段ボール箱２５において、４つの底片２６乃至２９、４つの蓋片３１乃至３４、２つの支持片３５；３６のそれぞれが、折線５１；５２；５４乃至５６；６５；６６；６８乃至７０で内側に折り曲げられることによって、図４に示す段ボール箱２５が完成する。段ボール箱２５を筒状に作る場合に使用する固着具は粘着テープやステップルでもよいが、粘着テープはロール上に巻かれた長尺な粘着テープ材料から定寸法な粘着テープを切断する作業が必要であり、ステップルは専用工具を使用しなければならないので、接着剤の方が粘着テープやステップルに比べて好適である。
【００１８】
図３に示すように、大きさと形状の同一な２つの箱要素４７；４８から１個の段ボール箱２５を作れば、図示しない１つの糊代と４つの側壁と４つの底片と４つの蓋片および２つの支持片が一体となった１つの箱要素から、１個の段ボール箱２５を作る場合に比べ、段ボール紙材料からの材料取りに無駄を省くことができるという利点がある。
【産業上の利用可能性】
【００１９】
図５乃至図８はそれぞれ別の第１乃至第４形態である。図５は、別の第１形態であって、支持片３５；３６の折線５６；７０からの長さＬ４を、図３に示す支持片３５；３６の折線５６；７０からの長さＬ３より短くしたことによって、蓋片３３；３４の折線５１；６５からの長さと、支持片３５；３６および蓋片３１；３２の折線５４；６８からの長さとを同じとし、段ボール紙材料からの材料取りに無駄を省くようにしたものである。
【００２０】
図６は、別の第２形態であって、段ボール箱２５の高さＬ５および横幅Ｌ６；Ｌ７を、図２に示す段ボール箱２５の高さＨおよび厚さＡ、横幅Ｄと異なる寸法とし、２枚の遊技盤１の一側面が段ボール箱２５の底部に接触するように横にし、２枚の遊技盤１の表部品４を向かい合わせた格好で、１個の段ボール箱２５に入れるようにしたものである。
【００２１】
図７は、別の第３形態であって、図７のａ図は、蓋片３１乃至３４が開けられた段ボール箱２５の外観を示す。図７のｂ図は、蓋片３１乃至３４が封緘された段ボール箱２５の外観を示す。図７のａ図において、支持片３５；３６の設けられていない一対の蓋片３３；３４は、それらが互いに折線５１；６５で内側に折り曲げられることで、それらの先端部が互いに重ね合わされるように、折線５１；６５からの寸法が設定されている。この相対峙する一対の蓋片３３；３４における互いに重なる先端部には切込７７；７８が個別に形成される。そして、別の相対峙する一対の蓋片３１；３２が折線５４；６８で内側に折り曲げられた後、切込７７；７８の設けられた一対の蓋片３３；３４が互いに折線５１；６５で内側に折り曲げられて互いに重ね合わされる場合において、図７のｂ図に示すように、切込７７；７８が互いに嵌め合わされることで、当該一対の蓋片３３；３４の先端部が互い違いに組み合わされ、４つの蓋片３１乃至３４が封緘されるようになっている。よって、この図７に示す形態の段ボール箱２５によれば、２つの遊技盤１を段ボール箱２５に格納する場合、段ボール箱２５の４つの蓋片３１乃至３４を封緘する図１のｂ図に示す封緘具４４を使用する必要はない。切込７７；７８のいずれか一方は形成しなくてもよい。
【００２２】
図８は、別の第４形態であって図８のａ図は、蓋片３１乃至３４が開けられた段ボール箱２５の外観を示す。図８のｂ図は、蓋片３１乃至３４が封緘された段ボール箱２５の外観を示す。図８のａ図において、支持片３５；３６の設けられていない一対の蓋片３３；３４は、それらが互いに折線５１；６５で内側に折り曲げられた場合、それらの先端部が互いに重ね合わされることなく向かい合うように、折線５１；６５からの寸法が設定されており、この互いに向かい合う一対の蓋片３３；３４の先端部には切込７９；８０が形成される。別の一対の蓋片３１；３２の先端部に形成された支持片３５；３６の長さＬ９は、図２に示す支持片３５；３６の長さＬ８より短い。そして、図８のｂ図に示すように、切込７９；８０の設けられた一対の蓋片３３；３４が互いに折線５１；６５で内側に折り曲げられた後、別の一対の蓋片３１；３２が互いに折線５４；６８で内側に折り曲げられ、支持片３５；３６が互いに折線５６；７０で内側に折り曲げられて切込７９；８０に嵌め込まれることによって、４つの蓋片３１乃至３４が封緘されるようになっている。よって、この図８に示す形態の段ボール箱２５によれば、２つの遊技盤１を段ボール箱２５に格納する場合、段ボール箱２５の４つの蓋片３１乃至３４を封緘する図１のｂ図に示す封緘具４４を使用する必要はない。
【００２３】
図９および図１０は、開封補助部８１；８２が支持片３５；３６を有する相対峙する一対の蓋片３１；３２に設けられた別の第５形態を示す。図９において、開封補助部８１は、蓋片３１における側片４０の側に位置する一側部に、支持片３５に近い側に位置し、蓋片３１の一側部から内部に窪み、蓋片３１の端面と表裏面とに開口する形状である。開封補助部８１の設けられる支持片３５に近い側の位置は、蓋片３１が閉じられた場合、段ボール箱２５の内部に収納された図１のｂ図に示す１つの遊技盤１における遊技基板３を避けた位置である。蓋片３１の端面は、蓋片３１が閉じられた場合、側片４０と向き合う面である。蓋片３１の表面は、蓋片３１が閉じられた場合、蓋片３３；３４の側に位置する面である。蓋片３１の裏面は、蓋片３１が閉じられた場合、段ボール箱２５の内部の側に位置する面である。開封補助部８２は、蓋片３２における側片３９の側に位置する一側部に、支持片３６に近い側に位置し、蓋片３２の一側部から内部に窪み、蓋片３２の端面と表裏面とに開口する形状である。開封補助部８２の設けられる支持片３６に近い側の位置は、蓋片３２が閉じられた場合、段ボール箱２５の内部に収納された図１のｂ図に示すもう１つの遊技盤１における遊技基板３を避けた位置である。蓋片３２の端面は、蓋片３２が閉じられた場合、側片３９と向き合う面である。蓋片３２の表面は、蓋片３２が閉じられた場合、蓋片３３；３４の側に位置する面である。蓋片３２の裏面は、蓋片３２が閉じられた場合、段ボール箱２５の内部の側に位置する面である。図１０において、段ボール箱２５から図１に示す遊技盤１を取り出すために、蓋片３１乃至３４を開封する場合、封緘具４４による蓋片３３；３４の封緘を解除し、蓋片３３；３４が開かれた後、作業者が指を蓋片３１；３２の外側から開封補助部８１；８２に入れて蓋片３１；３２を上方に持ち上げることによって、蓋片３１；３２を開封しやすくなるという利点がある。
【００２４】
図１１は、蓋片３１；３２に個別に設けられた開封補助部８６；９０の別の第６形態を示す。開封補助部８６は、図９の開封補助部８１に類似するものであって、２つの切込８３；８４と１つの折線８５とによって、折曲片として蓋片３１に設けられる。開封補助部９０は、図９の開封補助部８２に類似するものであって、２つの切込８７；８８と１つの折線８９とによって、折曲片として蓋片３２に設けられる。そして、段ボール箱２５から図１に示す遊技盤１を取り出すために、蓋片３１乃至３４を開封する場合、封緘具４４による蓋片３３；３４の封緘を解除し、蓋片３３；３４が開かれた後、作業者が開封補助部８６；９０を指で蓋片３１；３２の外側から段ボール箱２５の内側に押すことによって、開封補助部８６；９０が折線８５；８９から段ボール箱２５の内部に折れ曲がる。その後、開封補助部８６；９０を段ボール箱２５の内部に折り曲げた指で蓋片３１；３２を上方に持ち上げることによって、蓋片３１；３２を開封しやすくなるという利点がある。この形態では、開封補助部８６；９０が折曲片として形成されているので、図１に示す遊技盤１を段ボール箱２５に収納し、蓋片３１；３２を閉じる前の時点において、開封補助部８６；９０を蓋片３３；３４の外側に折り曲げた後、蓋片３３；３４を図１のｂ図に示す封緘具４４で封緘してもよい。
【００２５】
図１２は、開封補助部８１が蓋片３１に設けられた別の第７形態を示す。図１２において、開封補助部８１が、図１１に示す２つの切込８３；８４と１つの折線８５とからなる開封時補助部８６により形成してもよい。開封補助部８１に代えて、開封補助部８２を蓋片３２に設けてもよい。開封補助部８２を２つの切込８７；８８と１つの折線８９とからなる開封補助部９０により形成してもよい。つまり、開封補助部８１；８２または開封補助部８６；９０が蓋片３１；３２の少なくとも一方に設けられた形態でも適用可能である。
【００２６】
図示は省略するが、１枚の遊技盤１を１つの段ボール箱２５に入れてもよい。この場合、古新聞紙、古雑誌、布などの詰物を段ボール箱２５と遊技盤１との隙間４３に入れればよい。段ボール箱２５の側片３７乃至４０の外側面に遊技盤１を挿入する方向を示す「上」、または「下」のような文字を印刷すれば、遊技盤１を段ボール箱２５に入れる方向が正確となるうえ、遊技盤梱包装置２を開封して、遊技盤１を取り出す方向が正確となる。
【００２７】
図１３は別の第８形態であって、パチンコ店９１で使用済となって排出された表部品４と裏部品５とを備えた２枚の使用済遊技盤１（前述の遊技盤１に相当する）が前述の遊技盤梱包装置２を使用して回収される使用済遊技盤回収方法を示す。ステップ２０１に示すように、パチンコ店９１において新機種の遊技盤を導入する場合に使用済となって破棄される２枚または１枚の使用済遊技盤１が１個の段ボール箱２５で梱包される。その梱包には図１または図７のｂ図または図８のｂ図に示す形態が用いられる。そして、ステップ２０２に示すように、使用済遊技盤１の梱包された遊技盤梱包装置２がトラック９２の荷台に搭載される。その後、ステップ２０２に示すように、トラック９２がパチンコ店９１から使用済遊技盤１の集荷場９３に向けて運行され、トラック９２が集荷場９３に到達すると、遊技盤梱包装置２がトラック９２の荷台から集荷場９３に降ろされる。集荷場９３ではステップ２０３に示すように、降ろされた遊技盤梱包装置２における段ボール箱２５から使用済遊技機１が取り出される。取り出された使用済遊技盤１からは表部品４や裏部品５における画像表示装置や球検出器などの必要な部品が取り外される。空になった段ボール箱２５が偏平となった形態でパチンコ店９１から破棄される使用済遊技盤１を回収するために再使用に供される。
【図面の簡単な説明】
【００２８】
【図１】ａ図は遊技盤梱包装置を示す分解斜視図、ｂ図は２枚の遊技盤を入れて封緘した遊技盤梱包装置を示す縦断面図（最良の形態）。
【図２】遊技盤梱包装置の寸法を示す分解斜視図（最良の形態）。
【図３】箱要素を示す展開図（最良の形態）。
【図４】段ボール箱を示す斜視図（最良の形態）。
【図５】箱要素を示す展開図（別の第１形態）。
【図６】遊技盤梱包装置を示す分解斜視図（別の第２形態）。
【図７】ａ図は段ボール箱を示す斜視図、ｂ図は遊技盤梱包装置を示す斜視図（別の第３形態）。
【図８】ａ図は段ボール箱を示す斜視図、ｂ図は遊技盤梱包装置を示す斜視図（別の第４形態）。
【図９】段ボール箱を示す斜視図（別の第５形態）。
【図１０】図９の開封補助部の有る蓋を閉じた段ボール箱を示す斜視図（別の第５形態）。
【図１１】段ボール箱を示す斜視図（別の第６形態）。
【図１２】段ボール箱を示す斜視図（別の第７形態）。
【図１３】使用済遊技盤回収方法を示す工程図（別の第８形態）。
【符号の説明】
【００２９】
１    遊技盤
２    遊技盤梱包装置
４    表部品
５    裏部品
２５  段ボール箱
２６  底片
２７  底片
２８  底片
２９  底片
３１  蓋片
３２  蓋片
３３  蓋片
３４  蓋片
３５  支持片
３６  支持片
８１  開封補助部
８２  開封補助部
８６  開封補助部
９０  開封補助部
【図１】
2006044794.tif 000003
【図２】
2006044794.tif 000004
【図３】
2006044794.tif 000005
【図４】
2006044794.tif 000006
【図５】
2006044794.tif 000007
【図６】
2006044794.tif 000008
【図７】
2006044794.tif 000009
【図８】
2006044794.tif 000010
【図９】
2006044794.tif 000011
【図１０】
2006044794.tif 000012
【図１１】
2006044794.tif 000013
【図１２】
2006044794.tif 000014
【図１３】
2006044794.tif 000015